(57)【要約】【課題】  ハイヒールを中底に固定する際に、ビスが細長補強部材を抜き出したりビスのねじ込みが失敗したりすることがないようにする。【解決手段】  ハイヒール本体１０Ｂ内に縦方向に埋め込まれ先端がハイヒール本体１０Ｂの上面１０ＵＳ付近まで延びている細長補強部材２０を有し、この細長補強部材２０の上端に上向きに外周寸法が縮小するテーパ先細頭部２２を有する。このテーパ先細頭部は、刃先状、円錐状又は角錐状のいずれかの形状を有する。【選択図】        図２
0003116398.tif 000002
【実用新案登録請求の範囲】
【請求項１】
ハイヒール本体内に縦方向に埋め込まれ先端が前記ハイヒール本体の上面付近まで延びている細長補強部材を有するハイヒールにおいて、前記細長補強部材の上端に上向きに外周寸法が縮小するテーパ先細頭部を有することを特徴とするハイヒール。
【請求項２】
ハイヒール本体内に縦方向に埋め込まれ先端が前記ハイヒール本体の上面付近まで延びている細長補強部材を有するハイヒールにおいて、前記細長補強部材の上端に上向きに外周寸法が縮小するテーパ先細頭部を有し、前記テーパ先細頭部は、刃先状、円錐状又は角錐状のいずれかであることを特徴とするハイヒール。
【請求項３】
ハイヒール本体内に縦方向に埋め込まれ先端が前記ハイヒール本体の上面付近まで延びている細長補強部材を有するハイヒールにおいて、前記細長補強部材の上端に上向きに外周寸法が縮小するテーパ先細頭部を有し、前記細長補強部材の本体は、中空パイプから成り、前記テーパ先細頭部は、前記中空パイプの上端の中空部に差し込まれる差込部を有することを特徴とするハイヒール。
【請求項４】
ハイヒール本体内に縦方向に埋め込まれ先端が前記ハイヒール本体の上面付近まで延びている細長補強部材を有するハイヒールにおいて、前記細長補強部材の上端に上向きに外周寸法が縮小するテーパ先細頭部を有し、前記テーパ先細頭部は、刃先状、円錐状又は角錐状のいずれかであり、前記細長補強部材の本体は、中空パイプから成り、前記テーパ先細頭部は、前記中空パイプの上端の中空部に差し込まれる差込部を有することを特徴とするハイヒール。
【考案の詳細な説明】
【技術分野】
【０００１】
本考案は、ハイヒールに関し、特に金属パイプ、金属杆の如き細長補強部材が埋め込まれた樹脂又は硬質ゴム等の如きプラスティック材料から作られたハイヒールに関するものである。
【背景技術】
【０００２】
一般に、プラスティック製ハイヒールは、その強度を補強するために、ハイヒール本体の内部に種々の補強材が埋め込まれている。１つの例では、ハイヒールは、ハイヒール本体のほぼ全長に渡って埋め込まれ先端がハイヒール本体の上面付近まで延びている金属パイプの如き細長補強部材を有する（特許文献１参照）。
【０００３】
一方、ハイヒールは、その広い面積を有する上面に靴本体の中底の踵部分を接着して中底から釘の打ち込みやスクリューのねじ込みを行うことによって中底に固定されている。
【０００４】
従来技術の細長補強部材は、金属板を丸めて形成された金属パイプから成り、この金属パイプの上端は、釘の打ち込みビスのねじ込みに邪魔とならないように、押し潰して扁平にしている。
【０００５】
しかし、金属パイプの先端を押し潰して扁平にしても、扁平部分の上面は、ある面積を有する平面部分となっているので、ビスがこの扁平部分の上面に突き当たると、細長補強部材がハイヒール本体から抜け出したり、ビスがねじ込まれなかったりする欠点があった。
【０００６】
【特許文献１】実用新案登録第３１０９８３７号公報
【考案の開示】
【考案が解決しようとする課題】
【０００７】
本考案が解決しようとする課題は、ハイヒールを中底に固定する際に、ビスが細長補強部材を抜き出したりビスの打ち込みが失敗したりすることがないようにしたハイヒールを提供することにある。
【課題を解決するための手段】
【０００８】
本考案の基本的な課題解決手段は、ハイヒール本体内に縦方向に埋め込まれ先端がハイヒール本体の上面付近まで延びている細長補強部材を有するハイヒールにおいて、この細長補強部材の上端に上向きに外周寸法が縮小するテーパ先細頭部を有することを特徴とするハイヒールを提供することにある。
【０００９】
本考案の課題解決手段において、テーパ先細頭部は、刃先状、円錐状又は角錐状のいずれかとすることができる。
【００１０】
また、本考案の課題解決手段において、細長補強部材の本体は、中空パイプから成り、テーパ先細頭部は、中空パイプの上端の中空部に差し込まれる差込部を有する形態とすることができる。
【考案の効果】
【００１１】
本考案によれば、ハイヒール本体内に縦方向に埋め込まれている細長補強部材の上端に上向きに外周寸法が縮小するテーパ先細頭部を有するので、このハイヒールを中底に固定する際に、ビスがねじ込みの途中で細長補強部材に当ることがあっても、ビスの先端は、テーパ先細端部のテーパに沿ってねじ込まれるため、細長補強部材をハイヒールから抜き出すように押したり、ねじ込みの失敗が生じたりすることがなく、補強ハイヒールを中底に確実に固定することができる。
【００１２】
また、細長補強部材の本体が中空パイプから成っており、テーパ先細頭部が中空パイプの上端の中空部に差し込まれるようにすると、金属パイプを補強部材として利用してもその先端にテーパ先細頭部を容易に形成することができる。
【００１３】
特に、細長補強部材のテーパ先細頭部が円錐、角錐であると、先端頂部が点状となるため、ビスの誘導が円滑に行われるので、細長補強部材の抜け出しとビスのねじ込み失敗とを確実に防止することができる。
【考案を実施するための最良の形態】
【００１４】
本考案の実施の形態を図面を参照して詳細に述べると、図１乃至図９は、本考案の１つの実施の形態によるハイヒール１０を中底３０に取り付けた状態を示す。
【００１５】
ハイヒール１０は、プラスティック製のハイヒール本体１０Ｂ内に縦方向に埋め込まれ先端がハイヒール本体１０Ｂの上面１０ＵＳ付近まで延びている金属製細長補強部材２０を有する。
【００１６】
細長補強部材２０は、図示の形態では、中空金属パイプ２０ＭＰから成っているが、中実金属杆であってもよく、またその断面は、円形（真円又は楕円）及び角形(三角形、四角形、それ以上の多角形)のいずれであってもよい。中空金属パイプ２０ＭＰは、例えば、図４（Ａ）に示すように、金属板を丸めて形成することができる。
【００１７】
この細長補強部材２０は、ハイヒール本体１０Ｂのほぼ全長に渡って縦方向に埋め込まれており、その下端は、ハイヒール本体１０Ｂの底面１０ＬＳに露呈している。従って、この細長補強部材２０は、プラスティック製のハイヒール本体１０Ｂを補強する機能を有する。この細長補強部材２０は、ハイヒール本体１０Ｂを樹脂又はゴムから成形する際に、インサートして埋め込まれる。
【００１８】
中底３０は、金属芯板３２の上下に皮の如き被覆３４、３６を貼り付けて形成されており、この中底３０の踵部３０Ｈは、図２及び図３に示すように、ハイヒール１０の上面１０ＵＳに接着した後、ビス４２をねじ込み、またその周りに複数の釘４４を打ち込んで固定される。
【００１９】
本考案のハイヒール１０は、図２及び図４に示すように、細長補強部材２０の上端に上向きに外周寸法が縮小するテーパ先細頭部２２を有している。図２及び図４の形態では、細長補強部材２０は、中空金属パイプ２０ＭＰであり、テーパ先細頭部２２は、丁度、のみ（鑿）の刃先のように、相対する面が先端の線状頂部２２Ｔに向けて傾斜するように形成された刃先状に形成されている。この刃先状のテーパ先細頭部２２は、図４（Ａ）に示すように、金属板を丸めて形成された中空金属パイプ２０ＭＰの先端部分を丸めることなく開いたままとしてこの開いた部分を両側から押し潰すように成形すると、刃先状の成形を容易に行うことができるが、その成形方法はこれに限定されない。なお、このテーパ先細頭部２２の相対する傾斜面２２ＩＳは、図２に示すように、ハイヒール１０の幅方向に配置されるように、ハイヒール本体１０Ｂ内に埋め込まれているのが好ましい。
【００２０】
このように、細長補強部材２０がテーパ先細頭部２２を有すると、このハイヒール１０を中底３０に貼り付け、ビス４２をねじ込んで中底３０に固定する場合に、ビス４２が誤って細長補強部材２０に当たるような状態でねじ込まれることがあっても、ビス４２の先端は、テーパ先細頭部２２のテーパ傾斜面２２ＩＳに沿って誘導されてビス４２をハイヒール本体１０Ｂにねじ込むことができる。従って、細長補強部材２０がビス４２によってハイヒール本体１０Ｂから脱出するように押し出されることがなく、またビス４２をハイヒール本体１０Ｂに確実にねじ込んで固定することができる。なお、ビス４２のねじ込み後、その周りに複数の釘４４が打ち込まれて中底３０にハイヒール１０の固定を完了する。
【００２１】
本考案の異なる形態が図５に示されており、この形態でも、細長補強部材２０は、図４の形態と同様の中空金属パイプ２０ＭＰとすることができるが、金属板の丸め成形は全長に亘って行われる。テーパ先細頭部２２は、この中空金属パイプ２０ＭＰとは別体で形成されていてその下方に中空金属パイプ２０ＭＰの上端の中空部２０ＭＰＨに差し込まれる杆状差込部２２Ｒを有する。図示の形態では、円錐状テーパ先細頭部２２は、杆状差込部２２Ｒと合わせて、恰も傘状に形成されているが、円錐状以外のものであってもよいことはもちろんである。
【００２２】
この図５の形態では、中空金属パイプ２０ＭＰを押し出しで成形し、差込部２２Ｒ付きの円錐状テーパ先細頭部２２を切削、ダイキャスト、その他適宜の手段で成形した後、テーパ先細頭部２２を中空金属パイプ２２に圧入して組立てることができる。
【００２３】
図５の形態による細長金属補強部材２０を用いると、円錐状テーパ先細頭部２２の頂部２２Ｔは、図４の形態の頂部２２Ｔのように線状ではなく、点状となるため、ビス４２の誘導を一層円滑に行うことができるので好ましいが、図５の差込式の形態でも、図４の形態の刃先状のテーパ先細頭部を用いてもよいことはもちろんである。
【００２４】
なお、本考案において、「テーパ先細頭部」とは、頂部に至る面、例えば、刃先状の先細頭部の場合の刃先を形成する両面や円錐、角錐が必ずしも平坦な面ではなく、上向きに次第に先細となれば、丸みを有していてもよい。
【産業上の利用可能性】
【００２５】
本考案によれば、ハイヒール本体内の細長補強部材の上端にテーパ先細頭部を有するので、このハイヒールを中底に固定する際に、ビスがねじ込みの途中で細長補強部材に当ることがあっても、ビスの先端は、テーパ先細端部のテーパに沿って誘導されるため、細長補強部材を押し出したり、ビスのねじ込みの失敗が生じたりすることがなく、補強ハイヒールを中底に確実に固定することができ、産業上の利用性が向上する。
【図面の簡単な説明】
【００２６】
【図１】本考案に係わるハイヒールを中底に固定した状態の斜視図である。
【図２】図１のハイヒールと中底との固定部分を含む垂直断面図である。
【図３】図１及び図２のハイヒールの踵部分の平面図である。
【図４】本考案に用いられる細長補強部材の上方部分の斜視図である。
【図５】本考案の他の形態に用いられる細長補強部材を示し、同図（Ａ）はその垂直断面図、同図（Ｂ）はその分解断面図である。
【符号の説明】
【００２７】
１０  ハイヒール
１０Ｂ  ハイヒール本体
１０ＵＳ  上面
１０ＬＳ  下面
２０  細長補強部材
２０ＭＰ  中空金属パイプ
２０ＭＰＨ  中空部
２２  テーパ先細頭部
２２ＩＳ  傾斜面
２２Ｔ  頂部
２２Ｒ  差込部
３０  中底
３０Ｈ  踵部分
３２  金属芯板
３４、３６  被覆
４２  ビス
４４  釘
【図１】
0003116398.tif 000003
【図２】
0003116398.tif 000004
【図３】
0003116398.tif 000005
【図４】
0003116398.tif 000006
【図５】
0003116398.tif 000007